(57)【要約】【課題】商品サンプル等を安定して吊り下げた状態で展示できるようにする。【解決手段】背面板１の両側に側面板２を連設し、各側面板２を上方へ延長して、一対の側延部３とこれを繋ぐ背片部４とから成る側背片５を設け、背面板１の下端に底面板６及び正面板７を順次連設し、正面板７に展示品を挿入する枠穴１０を開口させ、背面板１から一対の側面板２及び底面板６を前方へ折り曲げ、底面板６から正面板７を上方及び後方に折り曲げて、枠穴１０に側背片５を下方から上方へ挿通し、側背片５の下方に台部１６を形成し、側背片５をフック等の吊下具に引っ掛けて吊り下げるようにする。奥行き方向の側面板２を上方へ延長した側背片５を枠穴１０に挿通しているので、ボトルＢの自重によるモーメントに対抗でき、台部１６が前下がりになる現象が防止される。【選択図】図１
2010099170.tif 000002
【特許請求の範囲】
【請求項１】
背面板(1)の両側に側面板(2)を連設し、各側面板(2)を上方へ延長して、一対の側延部(3)とこれを繋ぐ背片部(4)とから成る側背片(5)を設け、背面板(1)の下端に底面板(6)及び正面板(7)を順次連設し、正面板(7)に展示品を挿入する枠穴(10)を開口させ、背面板(1)から一対の側面板(2)及び底面板(6)を前方へ折り曲げ、底面板(6)から正面板(7)を上方及び後方に折り曲げて、枠穴(10)に側背片(5)を下方から上方へ挿通し、側背片(5)の下方に台部(16)を形成し、側背片(5)をフック等の吊下具に引っ掛けて吊り下げるようにしたディスプレイ台。
【請求項２】
前記一対の側面板(2)の下端に内底板(9)を連設し、側面板(2)から内底板(9)を内側へ折り曲げて、内底板(9)同士を噛み合わせ、底面板(6)と内底板(9)とを重ねたことを特徴とする請求項１に記載のディスプレイ台。
【請求項３】
前記正面板(7)の枠穴(10)より外側となる側枠部(7a)に背当板(8)を連設し、背当板(8)を側枠部(7a)から背面板(1)の外面沿いに折り曲げて、背面板(1)に係止したことを特徴とする請求項１又は２に記載のディスプレイ台。
【発明の詳細な説明】
【技術分野】
【０００１】
この発明は、吊り下げて商品サンプル等を展示できるディスプレイ台に関する。
【背景技術】
【０００２】
従来、ディスプレイ台兼用の包装体として、下記特許文献１には、図６に示すように、背面板５１の下端に底面板５２及び正面板５３を順次連設し、正面板５３には、前面部５３ａ、上面部５３ｂ及び継代部５３ｃを底面板５２側から順次設け、上面部５３ｂに枠穴５４を開口させ、背面板５１の上端に重合板５５を連設し、背面板５１と重合板５５とに貫通する吊下穴５６を設けたものが記載されている。
【０００３】
この包装体を組み立てるには、背面板５１から前方へ底面板５２を折り曲げ、正面板５３の前面部５３ａ及び上面部５３ｂを上方及び後方へ折り曲げて、継代部５３ｃを背面板５１の前面に貼り付けることにより、台部５７を形成し、重合板５５を背面板５１の上部前面に部分的に貼り付けて、挟持部５８を形成する。
【０００４】
そして、化粧品等のチューブＴを包装するには、チューブＴの下部のキャップ部分を台部５７の枠穴５４に挿入し、チューブＴの上部を挟持部５８の背面板５１と重合板５５との間に挟み込む。
【０００５】
【特許文献１】実用新案登録第２５８６９２３号公報
【発明の開示】
【発明が解決しようとする課題】
【０００６】
ところで、化粧品を店頭で展示する際、使用感を確かめるためのテスターとして、化粧品が入ったボトルをディスプレイ台で保持し、吊下穴５６をフック等の吊下具に引っ掛けて、ディスプレイ台を吊り下げておくことがある。
【０００７】
このとき、上記のような包装体を使用すると、ボトルの上部は、挟持部５８に挟み込むことができないことから、ボトルの自重で台部５７が前下がりに変形し、ボトルが傾いて不安定な状態になるという問題がある。
【０００８】
そこで、この発明は、商品サンプル等を安定して吊り下げた状態で展示できるようにすることを課題とする。
【課題を解決するための手段】
【０００９】
上記課題を解決するため、この発明は、背面板の両側に側面板を連設し、各側面板を上方へ延長して、一対の側延部とこれを繋ぐ背片部とから成る側背片を設け、背面板の下端に底面板及び正面板を順次連設し、正面板に展示品を挿入する枠穴を開口させ、背面板から一対の側面板及び底面板を前方へ折り曲げ、底面板から正面板を上方及び後方に折り曲げて、枠穴に側背片を下方から上方へ挿通し、側背片の下方に台部を形成し、側背片をフック等の吊下具に引っ掛けて吊り下げるようにしたのである。
【００１０】
また、前記一対の側面板の下端に内底板を連設し、側面板から内底板を内側へ折り曲げて、内底板同士を噛み合わせ、底面板と内底板とを重ねたのである。
【００１１】
また、前記正面板の枠穴より外側となる側枠部に背当板を連設し、背当板を側枠部から背面板の外面沿いに折り曲げて、背面板に係止したのである。
【発明の効果】
【００１２】
このディスプレイ台では、奥行き方向の側面板を上方へ延長した側延部及びこれを繋ぐ背片部から成る側背片を枠穴に挿通しているので、枠穴に展示品を挿入し、側背片をフック等の吊下具に引っ掛けて吊り下げたとき、展示品の自重によるモーメントに対抗でき、台部が前下がりになる現象が防止され、展示品を安定した状態で展示することができる。
【００１３】
また、シート材を打ち抜いた１枚のブランクから組み立てることができ、糊貼り加工も不要であることから、製造コストを抑制することができる。
【発明を実施するための最良の形態】
【００１４】
以下、この発明の実施形態を添付図面に基づいて説明する。
【００１５】
図１に示す第１実施形態に係るディスプレイ台は、テスターとして展示される化粧品のボトルＢを保持するものであり、図２に示すようなプラスチックシート又は紙材のブランクから形成される。
【００１６】
このブランクでは、背面板１の両側に側面板２が連設され、側面板２の外側縁は、膨出する弧状縁を形成している。各側面板２には、背面板１側を上方へ延長した側延部３と、これを繋ぐ背片部４とから成る側背片５が連設されている。側面板２と側延部３との間には、罫線は入れられていない。
【００１７】
背面板１の下端には、底面板６、正面板７及び背当板８が順次連設され、底面板６は、背面板１側から正面板７側へかけてテーパ状に幅が広がり、正面板７は背面板１よりも幅が広くなっている。側面板２の下端には、内底板９が連設されている。
【００１８】
正面板７には、ボトルＢを挿入可能な枠穴１０が設けられ、正面板７の枠穴１０より外側の部分は、背当板８に繋がる側枠部７ａとされている。側背片５の下部から中間部かけては、ボトルＢの外周が嵌る背穴１１が設けられている。
【００１９】
また、各内底板９には、半円弧状スリットの係合切込１２が対称に入れられている。背当板８の先端には、先窄まりで基部が括れた係止片１３が突出して設けられ、背面板１の中間部には、スリットの係止穴１４が入れられている。側背片５の上部には、円形の吊下穴１５が設けられている。
【００２０】
このようなブランクからディスプレイ台を組み立てるには、まず、図３に横倒し状態で示すように、背面板１から一対の側面板２を前方となる方向へ折り曲げ、各側面板２から一対の内底板９を内側へ折り曲げて、内底板９を撓ませつつ、係合切込１２の内側の膨出部を相手方の係合切込１２に相互に差し込んで、内底板９同士を噛み合わせる。
【００２１】
これにより、側背片５は、側延部３が側面板２から背面板１と同一面にある背片部４へかけて捩れ、背面板１と側面板２との折曲部の反発により、内底板９同士が引き合って、内底板９の噛合状態が維持される。
【００２２】
次に、図４に示すように、背面板１から底面板６を前方となる方向へ折り曲げて、内底板９の外側に底面板６を重ね合わせ、正面板７を上方となる方向へ折り曲げて、枠穴１０に側背片５を挿通する。
【００２３】
そして、図１に示すように、ディスプレイ台を起立させ、側背片５を上方へ引き出し、正面板７を側面板２の弧状縁に沿って後方へ湾曲させ、側背片５の下方に、背面板１、一対の側面板２及び正面板７から成る台部１６を形成する。
【００２４】
その後、背当板８を側枠部７ａから背面板１の外面沿いに下方へ折り曲げ、係止片１３を係止穴１４に差し込んで、背当板８を背面板１に係止する。
【００２５】
このように組み立てたディスプレイ台を使用して、テスターとして化粧品のボトルＢを展示する際には、枠穴１０にボトルＢを挿入して保持し、吊下穴１５をフック等の吊下具に引っ掛けて吊り下げる。また、テーブルや陳列棚の棚板等に底面板６を着底させて載置してもよい。
【００２６】
上記のようなディスプレイ台では、奥行き方向の側面板２を上方へ延長した側延部３及びこれを繋ぐ背片部４から成る側背片５を枠穴１０に挿通しているので、吊り下げた状態において、ボトルＢの自重によるモーメントに対抗でき、台部１６が前下がりになる現象が防止され、ボトルＢを安定した状態で展示することができる。
【００２７】
このため、店頭で消費者が化粧品のテストのためボトルＢを枠穴１０から容易に抜き取ることができ、化粧品の使用感を試した後、ボトルＢを側延部３に沿わせつつ、枠穴１０に容易に戻すことができる。
【００２８】
また、シート材を打ち抜いた１枚のブランクから組み立てることができ、糊貼り加工も不要であることから、製造コストを抑制することができる。
【００２９】
なお、上記第１実施形態の吊下穴１５に代えて、図５に示す第２実施形態のように、側背片５の上部まで背穴１１を大きく開口させ、背穴１１の上縁をフック等の吊下具に引っ掛けて、吊り下げるようにしてもよい。
【００３０】
そのほか、上記第１、第２実施形態では、側面板２を扇状とし、正面板７を側面板２の弧状縁に沿って湾曲させたが、側面板２を方形状とし、正面板７に側面板２の角部に対応した幅方向の罫線を入れ、正面板７を側面板２の前縁及び上縁に沿って罫線を軸に折り曲げるようにしてもよい。
【００３１】
また、側背片５の側延部３と背片部４とを、罫線を介することなく連続させて、側延部３を捻るようにしたが、側延部３と背片部４とを、その境界に入れた縦方向の罫線に沿って折り曲げるようにしてもよい。
【図面の簡単な説明】
【００３２】
【図１】この発明の第１実施形態に係るディスプレイ台の使用状態を示す図
【図２】同上のディスプレイ台のブランクを示す図
【図３】同上の組立過程を示す斜視図
【図４】同上の組立過程を示す斜視図
【図５】この発明の第２実施形態に係るディスプレイ台の使用状態を示す斜視図
【図６】従来のディスプレイ台兼用の包装体の使用状態を示す斜視図
【符号の説明】
【００３３】
１  背面板
２  側面板
３  側延部
４  背片部
５  側背片
６  底面板
７  正面板
７ａ  側枠部
８  背当板
９  内底板
１０  枠穴
１１  背穴
１２  係合切込
１３  係止片
１４  係止穴
１５  吊下穴
１６  台部
【図１】
2010099170.tif 000003
【図２】
2010099170.tif 000004
【図３】
2010099170.tif 000005
【図４】
2010099170.tif 000006
【図５】
2010099170.tif 000007
【図６】
2010099170.tif 000008